(57)【要約】【課題】  電源に取り付けられる取り外し可能なケーブルを介してコンピュータケースの内部の部品にＡＣ電源からＤＣ電流を供給するための、コンピュータケース内の設置に適合した電源を実現する。【解決手段】  電源１１０は、上部パネル、底部パネル及び複数の側面パネルによって規定される内部容積を有するハウジングと、このハウジングの内部容積内に配置されたＡＣ／ＤＣ変換回路と、ＤＣ出力ソケットとを備え、上記のＡＣ／ＤＣ変換回路はＡＣ電源から受け取ったＡＣ電流をＤＣ電流に変換してこれを上記のＤＣ出力ソケットに供給し、このＤＣソケットは、電源がコンピュータケース内部に設置されるときにこのＤＣソケットが上記の取り外し可能なケーブルと連結するためにコンピュータケース内部に配置されるような位置において、上記のハウジングの上部パネル、底部パネル及び側面パネルの１つに配置されるように電源を構成する。【選択図】      図１
2006085299.tif 000002
【特許請求の範囲】
【請求項１】
上部パネル、底部パネル及び複数の側面パネルによって規定される内部容積を有するハウジングと、
該ハウジング内の内部容積内に配置されるＡＣ／ＤＣ変換回路と、
前記ＡＣ／ＤＣ変換回路が配置される前記内部容積を規定する前記上部パネル、底部パネル及び側面パネルの１つに取り付けられるＤＣ出力ソケットと、
取外し可能なケーブルであって、該ケーブルに取り付けられる第１のプラグを備える第１の端部と該ケーブルに取り付けられる第２のプラグを備える第２の端部とを有する取外し可能なケーブルとを含む電源であって、
前記ハウジングはコンピュータケース内での設置のために適合され、
前記ＡＣ／ＤＣ変換回路はＡＣ電流源からＡＣ電流を受け取り、該受け取ったＡＣ電流をＤＣ電流に変換して、該ＤＣ電流を前記ＤＣ出力ソケットに供給し、
前記ＤＣ出力ソケットは、前記電源が前記コンピュータケース内に設置されるときに、前記取外し可能なケーブルが、（ａ）前記第１及び第２のプラグを介して、前記ＤＣ出力ソケットと前記コンピュータケースの内部に配置されるコンポーネントとの間で取外し可能に接続されることができ、かつ（ｂ）前記コンピュータケース内に完全に存在することができるように、前記ＤＣ出力ソケットが前記コンピュータの内部に配置されるような位置において、前記ハウジングのパネルの１つに取り付けられ、
前記取外し可能なケーブルの少なくとも一部分は、該取外し可能なケーブルの少なくとも一部分がＵＶ光が該ケーブルに当られたときに可視光を発するようにＵＶ光に反応することを特徴とする電源。
【請求項２】
前記取外し可能なケーブルの少なくとも一部分は、（ａ）緑、（ｂ）青、（ｃ）赤、（ｄ）オレンジ、（ｅ）黄、及び（ｆ）白を含むグループから選択された色の可視光を発することを特徴とする請求項１に記載の電源。
【請求項３】
（ｉ）複数の前記ＤＣ出力ソケットは、前記電源が前記コンピュータケースの内部に設置されるときに、複数の前記取外し可能なケーブルのそれぞれの１つが、（ａ）それぞれの第１及び第２のプラグを介して、前記複数のＤＣ出力ソケットのそれぞれの１つと前記コンピュータケースの内部に配置される複数のコンポーネントのそれぞれの１つとの間で取外し可能に接続されることができ、かつ（ｂ）前記コンピュータケース内に完全に存在することができるように前記複数のＤＣ出力ソケットの各々が前記コンピュータケースの内部に配置されるような位置において、前記ハウジングのパネルの１つに取り付けられ、
（ii）前記複数の取外し可能なケーブルの各々の少なくとも一部分は、該複数の取り外し可能なケーブルの各々の少なくとも一部分がＵＶ光が該ケーブルに当てられたときに可視光を発するようにＵＶ光に反応することを特徴とする請求項１に記載の電源。
【請求項４】
前記第１及び第２のプラグの少なくとも１つはプラスチック射出成型によって形成されることを特徴とする請求項１に記載の電源。
【請求項５】
前記第１及び第２のプラグの少なくとも１つは、該プラグを形成するために協働するように接続される第１のプラグの半分と第２のプラグの半分で形成されることを特徴とする請求項４に記載の電源。
【請求項６】
前記ハウジングはパーソナルコンピュータ内での設置に適合されていることを特徴とする請求項１に記載の電源。
【請求項７】
前記コンピュータケース内に配置される前記コンポーネントは、（ａ）マザーボード、（ｂ）磁気ディスクドライブ、（ｃ）光ディスクドライブ、（ｄ）入力／出力カード、（（ｅ）メモリカード、（ｆ）サウンドカード、（ｇ）ゲームカード、（ｈ）ビデオカード、（ｉ）ネットワークカード、（ｊ）ネットワークハブ、及び（ｋ）冷却装置を含むグループから選択されることを特徴とする請求項１に記載の電源。
【請求項８】
前記ハウジングは前記上部パネル、底部パネル及び複数の側面パネルを規定するために協働するように連結される複数のハウジング要素から形成されることを特徴とする請求項１に記載の電源。
【請求項９】
前記ハウジングは前記上部パネル、底部パネル及び複数の側面パネルを規定するために協働するように連結される２つのハウジング要素から形成されることを特徴とする請求項８に記載の電源。
【請求項１０】
前記上部パネル、底部パネルの少なくとも１つ及び前記複数の側面パネルの１つは、ＵＶ光に反応する挿入要素を含み、該挿入要素は前記ＵＶ光が該挿入要素に当てられるとき可視光を発することを特徴とする請求項１に記載の電源。
【請求項１１】
前記挿入要素は、（ａ）緑、（ｂ）青、（ｃ）赤、（ｄ）オレンジ、（ｅ）黄及び（ｆ）白を含むグループから選択された色の可視光を発することを特徴とする請求項１０に記載の電源。
【請求項１２】
前記電源はファンハウジングとファンブレードとを含む少なくとも1つのファンアセンブリを含み、該ファンハウジングとファンブレードの少なくとも１つは、該ファンハウジングとファンブレードの少なくとも１つがＵＶ光が与えられたときに可視光を発するようにＵＶ光に反応することを特徴とする請求項１に記載の電源。
【請求項１３】
前記ファンハウジングとファンブレードは、（ａ）緑、（ｂ）青、（ｃ）赤、（ｄ）オレンジ、（ｅ）黄、（ｆ）白を含むグループから選択された色の可視光を発することを特徴とする請求項１２に記載の電源。
【発明の詳細な説明】
【技術分野】
【０００１】
本発明は電源及び電源を設置する方法に関する。
【０００２】
より詳しくは、本発明の１実施例は、ＡＣ電流源（AC current source）からＡＣ電流を受電し、電源に取り付けられた取外し可能なケーブルを介してコンピュータのケースの内部に配置されたコンポーネントにその電源からＤＣ電流を供給するための、コンピュータのケース内に設置するのに適合した電源に関し、この電源は、上部パネル（top panel）、底部パネル（bottom panel）及び複数の側面パネル（side panel）によって規定された内部容積を有するハウジングと、上記のハウジングの内部容積内に配置されたＡＣ／ＤＣ変換回路（AC to DC circuitry）と、ＤＣ出力ソケット（DC output socket）とを含み、ここで、このＤＣ出力ソケットは内部に上記のＡＣ−ＤＣ変換回路が配置される内部容積を規定する上部パネル、底部パネル及び側面パネルの１つに固定され、また、上記のＡＣ／ＤＣ変換回路は上記のＡＣ電流源からＡＣ電流を受電し、また、このＡＣ／ＤＣ変換回路は受電したＡＣ電流をＤＣ電流に変換し、このＤＣ電流を上記のＤＣ出力ソケットに供給し、そしてまたこのＤＣ出力ソケットは、電源がコンピュータのケース内に設置されるときにこのＤＣ出力ソケットが上記の取り外し可能なケーブルと結合するようにコンピュータのケースの内部に配置されるような位置において、上記のハウジングのパネルの１つに固定される。
【０００３】
本発明を説明し、特許を請求する目的のために、「ソケット（socket）」という用語は、「プラグ（plug）」（下記に定義される）と協働して接続可能／遮断可能な電気的接続を提供する装置を呼ぶことを意図する。このようなソケットは、例えば、雄あるいは雌の電気的端子構成と雄あるいは雌の物理的ボディ構成を有することができる。更に、このようなソケットは、ハウジングのような相対的に固定された構造体に取り付けられる装置を呼ぶことを意図する。
【０００４】
更に、本発明を説明し、特許を請求する目的のために、「プラグ（plug）」という用語は、「ソケット」（上記に定義した）と協働して接続可能／遮断可能な電気的接続を提供する装置を呼ぶことを意図する。このようなプラグは、例えば、雄あるいは雌の電気的端子構成と雄あるいは雌の物理的ボディ構成を有することができる。更に、このようなプラグは、電気ケーブルのような相対的に動かせる構造体に取り付けられる装置を呼ぶことを意図する。
【０００５】
更にまた、本発明を説明し、特許を請求する目的のために、「コンポーネント（component）」という用語は、電力の供給を必要とするコンピュータ（例えばパーソナルコンピュータ）のどれかの内部要素あるいは部品を呼ぶことを意図する。従って、ここで用いられるような、用語「ポンポーネント」は、１つ以上のマザーボード（motherboard）、フロッピイディスクドライブ、ハードディスクドライブ、ＣＤ−ＲＯＭ、ＣＤ−ＲＷ，ＤＶＤ、サウンドカード、ビデオカード、ゲームカード、ネットワークカード、冷却装置、及び（あるいは）ネットワークハブを含むが、これに限定されないことを意図する。
【０００６】
更にまた、ここで、特定の定義のもの（definition）を「含むことを意図する」として特定される各用語に対しては、このような用語が特許請求の範囲で使用されるときは、この用語は「その定義のものの少なくとも１つを含むことを意図する」として、より特定的に解釈されるべきである。
【背景技術】
【０００７】
（例えばコンピュータシステムあるいはその他の電気装置に）電力を供給するための種々のメカニズムがこれまで提案されてきた。 例として下記の特許文献に記載されているメカニズムがあげられる。
【０００８】
米国特許第４，８８６，９７９号はモニタ及びホストコンピュータ用の電源装置に関するものである。この装置は、一端にプラグを、そして、モニタにＤＣ電力を供給するためのそのモニタの内部回路と電気的に接続された他端に並列に接続されたコンデンサを有する第１の電源装置と、ホストコンピュータの内部スイッチング電源回路と電気的に接続され、そこからＤＣ電力を得るための入力端子を有する接続コンポーネントを備えた第２の電源装置と、上記のホストコンピュータのハウジングユニットの壁に取り付けられたソケットに接続された出力端子とを含み、それによって上記の第１及び第２の電源装置を一緒に接続して、上記のモニタのスクリーン上の如何なる低周波及び高周波障害をも除去するようにＤＣ電源がホストコンピュータからモニタに直接的に供給されることになるようにするものである。
【０００９】
米国特許第５，３２１，５８０号は第１と第２の側面とこの第１と第２の側面と連続した底面を有する装置のボディを含む拡張装置（expansion device）に関するものである。この装置の電力コードは上記の第１の側面から引き出し、この電力コードの延長端にプラグが備えられている。このプラグは電子装置の電力ソケットに接続されるように適合されている。装置のボディは底面に形成された案内溝を含み、その中に上記の電力コードの一部が取り外し可能にはめ込まれている。この案内溝は上記の第１の側面に対して開いている一端と底面にある他端とを有する第１の部分と、上記の第１の部分の他端から第１の側面に延びている第２の部分と、上記の第１の部分の他端から第２の側面に延びている第３の部分とを含む。
【００１０】
米国特許第５，７６１，０２９号はコンピュータのディスク挿入部（disk bay）にはめ込まれ、そのコンピュータのフレームにボルト締めされるオーディオパワーアンプモジュールに関するものである。このモジュールはコンピュータ内の電源から電力を供給され、このコンピュータのフレームをヒートシンクとして使用する。このモジュールは内部のサウンドボードと外部のスピーカとへの取り付け用のコネクタを含む。音量調整は通常サウンドボード内に含まれるのに対し、音量調整は電力モジュール上に備えられる。
【００１１】
米国特許第５，８２２，１８１号はディスプレイユニット、電源、及び主コンピュータボディの挿入を適応させるための結合レセプタクル（docking bay receptacle）を入れるための単一ハウジング構造体と、電源、ディスプレイユニット及び主コンピュータボディの間の電力／電気信号接続を提供するために設置された電力／電気信号接続アセンブリとを有するコンピュータシステムに関する。この電力／電気信号接続アセンブリは上記の単一ハウジング構造体の一方側に取り付けられた接続プラグと、それに対応する接続ソケットで、主コンピュータボディが単一ハウジング構造体の結合レセプタクルに挿入されるときに、接続プラグに損傷を生じさせるかもしれないようないかなるミスアラインメントをも防止するために、上記の対応する接続ソケットが上記の主コンピュータボディ上に取り付けられるときに上記の単一ハウジング構造体の一方側上に取り付けられた接続プラグに目に見えるように結合されるように、上記の主コンピュータボディ上に取り付けられる対応接続ソケットとを含む。
【００１２】
米国特許第５，８８０，９３２号はパーソナルコンピュータあるいはその他の同様な装置に使用されるモジュラー電源に関する。この発明の好適実施例はベースアセンブリ、電源ハウジング、電源、及びファンアセンブリを含む。ベースアセンブリはモジュラー電源のための基礎を提供し、これに取り付けられた端子ボードとその中に埋め込まれた、各種電気部品への電力の分配のための中央接続部としての役目をするシステム共通急速断路器（system common quick-disconnect）とを含む。この電源ハウジングはその中に入れられる電源のための保護構造を提供する。ファンアセンブリは電源に対する冷却を提供し、上記の電源ハウジングの外部に取り付けられる。電源は、ベースアセンブリに取り付けられた端子ボード、ファンアセンブリ、及びベースアセンブリ内に配置された他のどの部品にも給電する上記のシステム共通急速断路器に電気的に接続される。端子ボードは、ロジックカード、Ｉ／Ｏボードなどのような周辺部品に対する電源にアクセスできるようにする。多重急速断路電気コネクタ（multiple quick-disconnect electrical connector）の使用によって、電源やファンのようなコンポーネントを、通常電源に「配線で接続されている」部品を外すことなく取り替えることができるようになる。
【００１３】
米国特許第６，５３５，３７７号は少なくとも１つの電気装置（ＡＰＰ１−ＡＰＰ１２）へ電力を供給ための分電ユニット（power distribution unit: ＰＤＵ）に関する。このＰＤＵは電源に対する少なくとも１つの分配点（Ｐ）と、その接近できる側に少なくとも１つの雌のコンセント（Ｊ１−Ｊ１２）を備えている。このコンセントは電気装置（ＡＰＰ１−ＡＰＰ１２）のケーブルの雄のコネクタを受けるように適合されている。上記の点（Ｐ）は少なくとも１つの手動でリセット可能なブレーカ（ＢＲＫ１−ＢＲＫ６）にそれぞれの電気ケーブルによって電気的に接続されている。上記の少なくとも１つのブレーカはそのブレーカをリセットするためのそれぞれの押しボタン（ＰＯＵ１−ＰＯＵ６）を備える。ブレーカ（ＢＲＫ１−ＢＲＫ６）はそれぞれの電気ケーブルによって上記の少なくとも１つの雌のコンセント（Ｊ１−Ｊ１２）に接続される。ブレーカ（ＢＲＫ１−ＢＲＫ６）は上記のユニットの内部に設置され、この少なくとも１つのブレーカをリセットすることができる少なくとも１つのリセット機構が備えられる。いくつかのブレーカを一線に支持することができ、また上記のリセット機構はすべてのブレーカを同時にリセットすることができる。押しボタンは、電気装置の１つに電気的な故障が生じたことを目に見ることができる表示を提供するように上記の分電ユニット用の壁を越えて延びる一端を有してブレーカの状態に応答できる。
【００１４】
米国特許第６，６７７，６８７号は小型周辺コンポーネント相互接続（compact peripheral component interconnect: ＣＰＣＩ）コンピュータアーキテクチャにおける電力分配のためのシステムに関する。ＣＰＣＩコンピュータアーキテクチャはそれぞれのバックプレーン（backplane）を有する複数のＣＰＣＩシステムを備える。このバックプレーンは更に複数のＣＰＣＩシステムの対応する１つに対して電力を供給するそれぞれのローカル母線（power rail）を有する。上記の配電システム（power distribution system）は上記のバックプレーンに電力を給電し、このバックプレーンのローカル母線の各１つに接続された共通母線を備える。複数の電源が上記の配電システムの共通母線に接続される。複数の電源のどれか１つから取られる電力は上記のバックプレーンのどれか１つに利用可能である。
【００１５】
米国特許第６，７４４，６２８号は、コンピュータシステム、ディスクドライブアレー、あるいはその他の筐体の構成においてフレキシビリティを提供する多方面配電ユニット（multi-directional power distribution unit: ＰＤＵ）に関する。この配電ユニットは、第１の構成を有する（例えばその筐体の正面からの）電力供給のために１つの方向に設置することができ、また第２の構成における（例えば筐体の背面からの）電力給電のために第２の方向に設置することができる。いずれの方向においても、１組の外部電力コネクタが１つ以上の外部電力供給に連結する。上記の方向に依存して、第１かあるいは第２の内部コネクタがシステムあるいは筐体（例えば中間面、電源）とインターフェースをとることになる。上記のＰＤＵは電力をフィルタに通すための回路を含むことができ、またヒートシンクをも含むことができる。
【００１６】
米国特許公報第２００３２２２５０３号はＤＣ配電装置における自動電圧選択に関する。ホスト（host）のハウジング内に１つあるいは複数のソケットを備えるように設備がなされ、装置の周辺構成要素は、上記のソケットに接続されて、それが必要とする低電圧ＤＣ電力を上記のホストから直接受け取ることができる。ソケットは、周辺機器に給電するために必要とされる低電圧を提供するために、ホストの電源（あるいはレギュレータ）の出力に電気的に接続される。電源はコンピュータの背面に取り付けることができる。この発明の主な特徴はホストのＤＣ電源をその周辺のＤＣ電力使用装置に接続するためのコネクタの使用にある。このコネクタは電源内の選択された抵抗器に接続されるピンを備える。この抵抗器の値（即ち抵抗）は、ホストの内部電源内のＤＣ／ＤＣコンバータにフィードバックされる予め定められた制御電圧を生成するように選択される。このコンバータはパルス幅変調制御装置を含む。上記の制御電圧はその出力を最大電圧から特定の周辺電力使用装置に適した適切な電圧に低減するための変調のデューティサイクル（即ちパルス幅）を決定する。従って、電源内に予め備えられた選択された抵抗器に関連する適当なピンを有する適当なコネクタ（あるいはケーブル）を単に選択するだけで、対応する周辺装置に対する電圧レベルが自動的に選択される。代替実施例において、この発明のＤＣ配電装置は選択されたＤＣ電力使用装置用の適当なピンを含むコネクタを備えたケーブルを受けるための１つ以上のユニバーサルポートを有する独立型ユニットを備える。
【００１７】
英国特許出願ＧＢ２，３２２，９７２号は汎用コンピュータ電源ユニットに関する。ＤＣ電力出力点検用パネル（１）はコンピュータ電源ユニットあるいはコンピュータ電源システムに含まれ、プリンタ、外部のファックスモデム、マルチメディアスピーカ、スキャナ、ビデオ会議カメラ及びその他の多くの外部メディアドライブのようなホストコンピュータシステムに接続された外部装置にＤＣ電力を供給する。ＡＣ電力出力ソケットも備えることができる（図２、４）。パネル（１）は各種の大きさのＤＣソケット（例えばＡ２、Ａ４）、ＬＥＤインディケータ（Ａ１）及びヒューズ（Ａ３）を含むことができる。このパネルは電源ユニット（９）の残りの部分にケーブル（１１）によって接続された独立ユニット（１０、図５）として実施することができる。
【００１８】
英国特許出願ＧＢ２，２５６，３１９号は取り外し可能な前面パネル１８上のファン２４を支持するキャビネット４を備える電源ユニット２と、電源回路３０を支持するスライド式に取り外し可能な回路基板２８とを有し、それによってその回路基板を容易に取替え／修理できるコンピュータシステムに関する。このコンピュータシステムはキャビネット（４８）の前面パネルの孔（５１）（例えば図５７）内に入れられるディスクドライブモジュールを含む。このモジュールは、キャビネットが同じ方法のままでこのディスクドライブモジュールと異なった方向において使用できるように、キャビネットに対して３つの代替的方向のいずれかにあるようにできる。コンピュータシステムはキャビネット（４８）の背面に隣接して配置された代りの取り付けハウジング（８２）上のソケット（６４、６８）（図８、９）内にプラグインカードを入れることができる。
【００１９】
【特許文献１】米国特許第４，８８６，９７９号明細書
【特許文献２】米国特許第５，３２１，５８０号明細書
【特許文献３】米国特許第５，７６１，０２９号明細書
【特許文献４】米国特許第５，８２２，１８１号明細書
【特許文献５】米国特許第５，８８０，９３２号明細書
【特許文献６】米国特許第６，５３５，３７７号明細書
【特許文献７】米国特許第６，６７７，６８７号明細書
【特許文献８】米国特許第６，７４４，６２８号明細書
【特許文献９】米国特許公報第２００３２２２５０３号明細書
【特許文献１０】英国特許出願ＧＢ２，３２２，９７２号明細書
【特許文献１１】英国特許出願ＧＢ２，２５６，３１９号明細書
【発明の開示】
【発明が解決しようとする課題】
【００２０】
ここで開示された利点及び改善に共通する、本発明の目的や利点は添付の図と共に述べた以下の記載から明らかになるものである。これらの図は本明細書の一部を構成し、本発明の実施形態を含み、その種々の目的及び特徴を説明するものである。
【課題を解決するための手段】
【００２１】
ところで、本発明の多数の実施例の簡単な説明を参照すると、これらの実施例の１つは、電源のハウジングの外部に配置される配線を含まない導電性の通路（electrically conductive path）によってＤＣ電源に電気的に接続される少なくとも１つの電気ソケットを含むコンピュータ電源に関するものであることに注目すべきである。このソケットは、コンピュータのどの所望のコンポーネントにもＤＣ電力を供給するために取り外し可能なケーブルのプラグに上記のソケットを物理的及び電気的に接続できるようにするように電源のハウジングの外部から接近できるものである。このソケット及びプラグは、所望の形状因子（form factor）のものとすることもでき、またコンピュータ内に配置された所定のコンポーネントへの接続をするために要求されるようなどのような数及び構成の電気端子をも含むことができる。
【００２２】
更に、本発明の別の実施例は、コンピュータの筐体（enclosure）内に目障りでしかも（あるいは）無駄な使用されない電源ケーブルの存在を減らすかあるいは除去するように構成された出力ソケットを有するコンピュータ電源に関する。
【００２３】
更にまた、本発明の別の実施例は、所定のコンピュータ構成に対して（例えば、所定の数及びタイプのコンポーネントを使用するコンピュータ構成に対して）必要な数の電源ケーブルのみを使用してコンピュータ内に電源を設置する方法に関する。即ち、所定の時に必要な数のケーブルだけを設置することができる。
【００２４】
更にまた、本発明の別の実施例は、所定のコンピュータ構成に対して（例えば、所定の数とタイプのコンポーネントを使用するコンピュータ構成に対して）適切な特定の長さの電源ケーブルを使用してコンピュータ内に電源を設置する方法に関する。即ち、このような取り外し可能なケーブルは、過剰でなく（過剰であると（例えば、配電路に追加される無駄な材料という点から及び(あるいは）不必要な大きさの電気抵抗という点から）目障りでしかも（あるいは）無駄になる場合がある）所定のコンポーネントに届くのに十分な長さのものであるように選択することができる。
【発明を実施するための最良の形態】
【００２５】
本発明の詳細な実施例がここに開示されるが、開示された実施例は単に種々の形で実施できる本発明の実例に過ぎないということを理解するべきである。更に、本発明の種々の実施例と関連して与えられた各々の例は実例を示すことを意図したものであって限定するものではない。更に、図は必ずしも縮尺どおりではなく、特定のコンポーネントの詳細を示すようにある特徴を誇張している場合がある。従って、ここで開示される特定の構造及び機能の詳細はそれに限定するものとして解釈されるべきではなく、単に本発明を様々に採用するためのこの技術に精通した者の理解のための代表的な基本事例として解釈されるべきである。
ところで図１を参照すると、本発明の１実施例による電源のモジュラーケーブル（modular cable）構成を示す前面図が示されている。具体的には、電源１１０はグロメット孔（grommeted hole）１１４が貫通して形成された前面パネル１１２を含むハウジングを備える。グロメット孔１１４はマザーボードプラグ１１８をその一端に有するマザーボードケーブル１１６を受ける。
【００２６】
前面パネル１１２は更に１２ボルト電力、補助電力、及び周辺電力をそれぞれ供給するためのソケット１２０、１２２及び１２４を受けるための複数の孔を含む。一例（この例は実例を示すことを意図しているものであって限定するものではない）では、このソケット１２０、１２２及び１２４はプリント回路基板上に取り付けることができる（このようなプリント回路基板は今度は前面パネルの内側に（例えば取り付けネジ１２５を介して）取り付けることができる）。
【００２７】
本発明は更に、１２ボルトパワーケーブル１２６、補助パワーケーブル１２８及び周辺パワーケーブル１３０を形成するために、両端にプラグ１３２、１３４及び１３６をそれぞれ備えて構成された複数のケーブルを含むことができる。プラグ１３２、１３４及び１３６はそれぞれのケーブルの一端でそれぞれのソケット１２０、１２２及び１２４にプラグを差し込むように構成することができる。更に、プラグ１３２、１３４及び１３６は電源１１０がその中で使用される装置（例えばパーソナルコンピュータ）内に含まれる特定のコンポーネントに形成された対応するソケットにそれぞれのケーブルの他端でプラグを差し込むように構成することができる。
【００２８】
一例（この例は実例を示すことを意図したものであって限定するものではない）では、ソケット１２０、１２２及び１２４並びにプラグ１３２、１３４及び１３６は従来の形状因子のものであってもよく、また必要に応じて雄または雌型のものでよい。
【００２９】
他の例（この例は実例を示すことを意図したものであって限定するものではない）では、マザーボードケーブル１１６及びマザーボードプラグ１１８は従来の形状因子のものでもよい（プラグ１１８は必要に応じて雄型または雌型のものでよい）。
【００３０】
他の例（この例は実例を示すことを意図したものであって限定するものではない）では、ソケット１２０、１２２及び１２４は電源１１０の前面パネル１１２に形成されて、適切に構成された個々の孔を通して配置することができる（図１参照）。
【００３１】
他の例（この例は実例を示すことを意図したものであって限定するものではない）では、ソケット１３２、１３４及び１３６は集積型コネクタ（integral connector）１３８として互いに一体に形成することができる（図２参照）。
【００３２】
他の例（この例は実例を示すことを意図したものであって限定するものではない）では、個々のソケット及び（あるいは）集積型コネクタはフランジで電源１１０に取り付けることができる。より具体的な例（この例は実例を示すことを意図したものであって限定するものではない）では、このソケット及び集積型コネクタは、（例えばバネ押しされたタブによって）所定の位置に保持されたそのソケットあるいは集積型コネクタを備えた前面パネル１１２の外側面上に上記のフランジが置かれるように、前面パネル１１２内に対応して形成された孔を通して配置することができる。
【００３３】
注目すべきは、図１に示されている実施例においてはマザーボードケーブル１１６は電源１１０に配線で接続されているが、図２に示されている実施例ではマザーボードケーブルは両端に形成されたプラグを備えたモジュラーケーブル（図示なし）として構成されることになろうということである。より詳細には、図２に示されている実施例は電源１１０の前面パネル１１２内に形成された対応する孔を通して配置されたマザーボードソケット１４０を含む。このマザーボードソケット１４０は、もちろんモジュラーマザーボードケーブル（modular motherboard cable）の一方のプラグを受けるように構成されることになろう（これに対しモジュラーマザーボードケーブルの他方のプラグはマザーボードに取り付けられたソケットによって受けられることになろう）。
【００３４】
ところで図３を参照すると、この図は電源（例えばパーソナルコンピュータ用電源）に通常採用されているいくつかの従来のコネクタの形状因子を実例で示したものであることに注目すべきである。具体的には、電源は通常、プラグ１１８のタイプのプラグを備えたマザーボードケーブル（あるいは主パワーケーブル）、プラグ１３４のタイプのプラグを備えた補助パワーケーブル（あるいは補助電力用）、プラグ１３２のタイプのプラグを備えた１２ボルトパワーケーブル及びプラグ１３６のタイプのプラグを備えた周辺パワーケーブルを含む。なお、フロッピイドライブは過去において広く使用されてきたが、それらの普及率は年を追って縮小してきている。それにもかかわらず、本発明の電源１１０は、一端が電源１１０の前面パネル１１２の孔を介して配置された対応するフロッピイ用パワーソケット（power socket）にプラグを差し込んで接続され、他端がフロッピイドライブにプラグを差し込んで接続されるようにその端部に形成されたプラグ１４２のタイプのプラグを有するフロッピイ用パワーケーブルを含むことができる。もちろん、当然のことながら、図５に示されているプラグは今日よく使われているものであってもよいが、他のプラグを将来採用し、本発明の精神と範囲から逸脱することなしに、使用することができる。
【００３５】
また図４を参照すると、本発明の実施例による電源１１０の背面パネルが示されている。この図に見られるように、電源１１０の背面パネル１４４に取り付けられるものは従来の入力ソケット１４６（例えば１１５Ｖあるいは２３０Ｖ入力ソケット）、従来の電圧選択スイッチ１４８（例えば１１５Ｖ対２３０Ｖ）及び従来のオン／オフスイッチ１５０であってもよい。入力ソケット１４６は、例えば電源１１０にレセプタクル（receptacle）あるいは他のコンセント（outlet）から電流を供給するためにそれに電力コードを接続できるようにするパーソナルコンピュータ業界内で使用される従来タイプのものでよい。更に、この電力の供給はオン／オフスイッチ１５０によって制御されるようにすることができる。更にまた、電圧スイッチ１４８は、例えば電源１１０の１１５Ｖ対２３０Ｖの選択ができるようにするこの業界の従来のタイプのものでよい。
【００３６】
図４はまた（例えば、電源１１０を通る空気の流れが電源１１０の前面パネル１１２に形成された換気孔１５４（図２参照）を介して同所を出てゆくことができるようにする適当な網状のもの（grill work）を備えた）背面パネル１４４に取り付けられた換気ファン１５２を図示する。一例（この例は実例を示すことを意図したものであって限定するものではない）として、もう１つの換気ファン１５６を電源１１０の上部パネル１５８に備えることができる。
【００３７】
ところで図５を参照すると、電源のハウジングの構造の一例（この例は実例を示すことを意図したものであって限定するものではない）が示されている。より詳細には、この例においては電源１１０は（適当なファスナーによって一緒に締められるように）クラムシェル（clamshell）式に組み合わされることによって、電源回路をその中に本質的に完全に囲む２つの相補型のＵ形状の部分１１０Ｕと１１０Ｌとを含むのが見られる。この図５はまた、一例（この例は実例を示すことを意図したものであって限定するものではない）として、使用されない各ソケットにはその汚損を防ぐために取り外し可能なキャップをはめることができることを示す。
【００３８】
注目すべきは、電源１１０は電源１１０の内部に電源回路をコンパクトで効率的に配置することを容易にすることができることである。これに関して、本発明は如何なる特定の電源回路タイプ、トポグラフィ（topography）、あるいは定格にも制限されないということを最初に指摘する必要がある。例えば、既存の電源回路設計を採用して、異なった電圧（例えば３．３Ｖ、５Ｖ、１２Ｖ）及び（あるいは）異なった容量（例えば３００ワットあるいは４００ワット）で出力電力を供給するようにすることができる。なお、電源回路の将来の設計が開発され、本発明の電源にその精神と範囲から逸脱することなしに組み込むことができることが予想される。
【００３９】
何れの場合でも、標準的な電源回路は一般にいくつかの基本コンポーネントを含むことになるということは今日では知られている。図６Ａ、６Ｂ、６Ｃ、６Ｄ及び６Ｅは、採用され得る標準的な電源の基本コンポーネントに対するレイアウトの実例を示す。図示のように、電源回路は、従来のように電源１１０の下側部分１１０Ｌの底部パネルに業界において一般的な適切な隔離碍子（stand-off）あるいは絶縁物によって恒久的に取り付けられたプリント回路基板上に取り付けることができる。入力ソケット１４６からの電源電圧（line voltage）はオン／オフスイッチ１５０を介して上記のプリント回路基板の入力電力線に接続される。このプリント回路基板に接続されるのは、入力フィルタコンデンサ１６４及び変圧器１６６である（ヒートシンク１６８はパワートランジスタに熱的に結合される）。出力回路１７０もまた上記のプリント回路基板に取り付けられる。マザーボードソケット１４０はこのプリント回路基板に配線される。同様に、１２ボルトパワーソケット、補助パワーソケット及び周辺パワーソケット（正確に言えばこれらは集積型コネクタ１３８として同一に扱われる）もプリント回路基板に配線される。更に、電圧選択スイッチ１４８がプリント回路基板に配線される。更にまた、換気ファン１５２及び１５６はプリント回路基板に配線されるか、あるいはそうでない場合は別に電力が供給されるように構成される。
【００４０】
一例（この例は実例を示すことを意図したものであって限定するものではない）では、ヒートシンク１６８は、換気ファン１５２の運転時にヒートシンク１６８を横切る空気の流れを円滑にするように換気ファン１５２と換気孔１５４との間に作り出された空気流に対して位置合わせされた一般に細長の設計を有するようにすることができる。
【００４１】
上述のように、１２ボルトパワーソケット、補助パワーソケット及び周辺パワーソケットは一体型ユニット（integral unit）として一緒に形成することができる。一例（この例は実例を示すことを意図したものであって限定するものではない）として、この一体型ユニットは射出成型（injection molding）あるいはその他の製造技術によって集積型コネクタ１３８を既定するように製造することができる。
【００４２】
他の例においては、１２ボルトパワーソケット、補助パワーソケット及び周辺パワーソケットの端子は、ソケットのそれぞれの端子にグラウンド、プラス及びマイナス電圧を供給するために母線１７２、１７４及び１７６（図６Ｂ参照）によって接続することができる。これらのソケットを集積型コネクタ１３８として一緒に一体に形成することができることは、モジュール方式化の実質的な度合い（substantial degree of modularity）、及び美観上の利点の達成を助けることができる。
【００４３】
同様に、マザーボードソケット１４０は前面パネル１１２内のそれに対応する孔を通して取り付けることができる一体型ユニットとしてモールドすることができる。更に、マザーボードソケット１４０はコネクタ１７８によってプリント回路基板に接続することができる（図６Ｂ及び６Ｃ参照）。
【００４４】
ところで図７を参照すると、電源１１０は（プラグ１１８とソケット１４０を介して電源１１０に接続される）独立したモジュラーマザーボードケーブル１１６並びに独立した１２ボルトモジュラーパワーケーブル、補助パワーケーブル及び周辺ケーブルの使用を容易にすることができ、それらのケーブルは一端で電源１１０のそれらのそれぞれのソケットに個別にプラグを差し込んで接続することができ、またそれらの他端で電力を受けるパーソナルコンピュータのような装置の内部のそれぞれのコンポーネントにプラグを差し込んで接続することができることが再び見られる（この図７はモジュラーマザーボードケーブル１１６に加えて周辺パワーケーブル１３０のみの使用を示しているが、もちろんどのような他の所望のケーブルの組み合わせをも使用することができる）。
【００４５】
従って、特定の構成のために必要とされるこれらのケーブルのみが必要に応じて使用される（一例（この例は実例を示すことを意図したものであって限定するものではない）として、特定の設置コンポーネントを有するパーソナルコンピュータの特定の構成のために必要とされるこれらのケーブルのみが必要に応じて使用される）。勿論、追加のコンポーネントを追加するときは、追加のケーブルを電源１１０とそのコンポーネントに使用のために単にプラグを差し込むだけで接続することができる。同様に、どれかのコンポーネントを除去する場合は、それぞれのケーブルを単に電源１１０からプラグを抜いてはずすことができる。
【００４６】
更なる利点（例えば美観上の利点）は紫外線（ＵＶ）光によく反応する１つあるいはそれ以上の要素を備えることによって達成できる。例えば（この例は実例を示すことを意図したものであって限定するものではない）、１つあるいはそれ以上のパネル（例えば上部パネル１５８及び（あるいは）側面パネル１８０）はＵＶ光に対して反応する透明あるいは半透明のパネル挿入物（insert）１８２を含むことができる（例えば図８参照）。他の例（この例は実例を示すことを意図したものであって限定するものではない）では、ファン１５２及び（あるいは）１５６の全てあるいは一部（例えばファンハウジング及び（あるいは）ファンのブレード）がＵＶ光に反応することができる（例えば図５参照）。他の例（この例は実例を示すことを意図したものであって限定するものではない）としては、電源に取外し可能に接続されるケーブルの１つあるいはそれ以上の全ての部分あるいはその一部がＵＶ光に対し反応するようにすることができる。
【００４７】
注目すべきは、ＵＶ光に反応するとしてここで述べたどの要素も適当な製造及び（あるいは）処理によってそのように作ることができることである（例えば、要素はそれに適用されたＵＶ光反応性コーティングを有することができ、そして(あるいは）要素はＵＶ光に反応する材料で（全体あるいは一部分を）形成することができる）。更に、ここでＵＶ光に反応するとして述べたどの要素もＵＶ光がそれに当てられるとき可視光を放つことができる。一例（この例は実例を示すことを意図したものであって限定するものではない）として、放出された可視光は、（ａ）緑、（ｂ）青、（ｃ）赤、（ｄ）オレンジ、（ｅ）黄、及び（ｆ）白を含むグループから選択される色のものでよいが、それらに限定はされない。別の例（この例は実例を示すことを意図したものであって限定するものではない）では、ここでＵＶ光に反応するとして述べたどの要素も、それがＵＶ光に曝されないときのその要素の色とは異なる色の可視光を放つことができる（例えば、可視光の存在においては透き通って見えるか、透明、半透明あるいは白に見える要素がＵＶ光の存在においては緑、青あるいは赤色に見えるようにできる）。
【００４８】
他の例（この例は実例を示すことを意図したものであって限定するものではない）では、ＵＶ光は電源内に配置されたＵＶ光源によって（例えば、電源内のファンのハブ（hub）のまわりに同軸に配置されるとともに（あるいは）どこか他の場所に配置された環状のＵＶ光によって）少なくとも部分的に与えることができる。他の例（この例は実例を示すことを意図したものであって限定するものではない）では、ＵＶ光は電源の外に配置されたＵＶ光源によって少なくとも部分的に与えることができる。
【００４９】
ところで図９Ａを参照すると、本発明の１実施例による電源で使用するためのケーブル／プラグアセンブリの一例（この例は実例を示すことを意図したものであって限定するものではない）が示されている。この図９Ａに見られるように、ケーブルアセンブリ９００は第１のプラグ９０２と第２のプラグ９０４を含む。更にこの図９Ａに見られるように、個々のワイヤ９０６をケース９０８内に一緒に束ねて、金属シース９１０を電磁気的な干渉を除去するかあるいは低減するのを助けるために使用することができる。
【００５０】
注目すべきは、この図９Ａは２つのタイプのプラグ、即ち第１のプラグ９０２（独特なプラスチック射出成型タイプのプラグ）と第２のプラグ９０４（従来タイプのプラグ）を図示していることである。この例は各タイプのプラグを１つずつ使用するケーブルアセンブリ９００を示すが、他の組合せも勿論使用できる（例えば、このケーブルアセンブリは２つの特有のプラスチック射出成型タイプのプラグを使用してもよい、あるいはこのケーブルアセンブリは２つの従来タイプのプラグを使用してもよい）。
【００５１】
ところで図９Ｂを参照すると、第１のプラグ９０２と第２のプラグ９０４の各々の近傍における個々のワイヤ９０６のより詳細な図が示されている。より詳細には、第１のプラグ９０２の近傍においてはケース９０８及び金属シース９１０によって個々のワイヤ９０６をしっかり固定して包み込ん出いるのに対し第２のプラグ９０４の近傍においては個々のワイヤ９０６を抑え込んでないのが対照的である。
【００５２】
ところで図１０Ａ〜１０Ｈを参照すると、本発明の実施例による特有のプラスチック射出成型タイプのプラグ用のカバーの種々の例（この例は実例を示すことを意図したものであって限定するものではない）が示されている。
【００５３】
より詳細には、図１０Ａと１０Ｂはそれぞれ２４ピン（ＰＩＮ）のプラスチック射出成型カバーの透視図と平面図を示す。更に、図１０Ｃと１０Ｄはそれぞれ２つのタイプの４ピン（ＰＩＮ）のプラスチック射出成型カバーの透視図を示す。更にまた、図１０ＥはＳＡＴＡプラスチック射出成型カバーの透視図を示す。更にまた、図１０Ｆは（ファン用の）３ピン（ＰＩＮ）のプラスチック射出成型カバーの透視図を示す。更にまた、図１０Ｇと１０Ｈは４ピン（ＰＩＮ）のプラスチック射出成型カバーの種々の図を示す。
【００５４】
また、図１１を参照すると、本発明による電源の他の実施例が示されている。より詳細には、この図１１において見られるように、電源１１００は２４ピンのマザーボードソケット１１０１、ＳＡＴＡ２ソケット１１０３、１２Ｖソケット１１０５、Ｐ４／１２Ｖソケット１１０７及び（あるいは）ＰＣＩ  Ｅｘｐｒｅｓｓソケット１１０９を含むことができる。
【００５５】
ところで図１２を参照すると、本発明による電源の他の実施例が示されている（この実施例は図４に示されている実施例に類似しており、下記の点が追加されている）。より詳細には、この図１２に見られるように、電源は出力スイッチ１２０１、（例えば１１５Ｖあるいは２３０Ｖを出力する）ＡＣ出力ソケット１２０３及び（あるいは）（例えば３．３Ｖ、５Ｖ、１２Ｖを出力するための）ＤＣ出力ソケット１２０５を含むことができる。注目すべきは、このような出力スイッチ１２０１、ＡＣ出力ソケット１２０３及び（あるいは）ＤＣ出力ソケット１２０５は電源が設置される装置（例えば、パーソナルコンピュータ）の外部から接近できるということである。更に注目すべきは、ＡＣ出力ソケット１２０３及び（あるいは）ＤＣ出力ソケット１２０５の何れかあるいはその両方を切換えることができる、即ち、オン及びオフすることができる（例えば、ＡＣ出力ソケット１２０３及びＤＣ出力ソケット１２０５は出力スイッチ１２０１によって一緒に、あるいは別個の専用のスイッチ（図示なし）によって別々に切換えることができる）ことである。更にまた注目すべきは、所望の数のＡＣ出力ソケット１２０３及び（あるいは）ＤＣソケット１２０５を備えることができることである。更にまた注目すべきは、ＡＣ出力ソケット１２０３及び（あるいは）ＤＣソケット１２０５は各々所望の物理的及び（あるいは）電気的構成（例えば、１１５Ｖ及び（あるいは）２３０ＶのＡＣ出力電圧、３．３Ｖ、５Ｖ及び（あるいは）１２ＶのＤＣ出力電圧）のものとすることができることである。
【００５６】
本発明の多数の実施例を述べたが、これらの実施例は実例を示すものにすぎず、限定するものではないこと、また、多くの変更が当業者には明白になり得ることが理解される。例えば、本発明は主としてコンピュータ（例えば、パーソナルコンピュータ）での使用に対して述べられたが、本発明は電源を必要とするどんな装置にも使用することができる。更に、各ソケットは、１つあるいはそれ以上の導電性端子を、嵌め合いプラグ（mating plug）の対応する導電性端子と接続（interface）するために含むことができる（例えば、各ソケットは１つあるいはそれ以上の導電性ピン（electrically conductive pin）を、嵌め合いプラグの対応する導電性のレセプタクルと接続するために有することができる、あるいは各ソケットは１つあるいはそれ以上の導電性レセプタクルを嵌め合いプラグの対応する導電性ピンと接続するために有することができる）。更にまた、多重ソケット（multiple socket）が集積型コネクタに形成される場合は、集積型コネクタのソケットの各々は同じタイプ（あるいは形状因子）のものとすることができ、あるいはこの集積コネクタは異なったタイプ（あるいは形状因子）のソケットを含むことができる。更にまた、多重ソケットは集積型コネクタ内に多重の凹部（multiple recess）を形成することによって設けられてもよい。更にまた、このソケットは電源のハウジングのパネルに（そして（あるいは）パネルを通して接近できるように）取り付けることができる。更にまた、各ソケットは電源ハウジングのパネルに機械的に結合することによってや、そのハウジングの内部に置かれたプリント回路基板に取り付けられることによって、及び（あるいは）１つあるいはそれ以上の他のソケットと（例えば集積型コネクタの一部として）一体にされることによって取り付けることができる。更にまた、このソケットはソケット内の凹部内に配置された１つあるいはそれ以上の電気端子を含むことができる（これによってその凹部内に配置された端子がソケットにプラグを差し込んで接続できる嵌め合いプラグ以外の何かと電気的に接触するをすることから保護されるようにできる）。更にまた、任意の所望の数のソケットを利用することができる。更にまた、本発明による電源は１つあるいはそれ以上の入力電圧／電流レベルを受け取ることができ、１つあるいはそれ以上のレベルの出力電圧／電流を供給することができる（専用の入力及び（あるいは）出力回路を利用することができる）。更にまた、本発明は（従来の形状因子／電気的構成のソケット／プラグとは対照的に）１つあるいはそれ以上の独自仕様のソケット／プラグ（proprietary socket/plug）を利用することができる。更にまた、このソケットはそれらが置かれるパネルの外部面と実質的に同一平面で設置することができる。更にまた、本発明は電源によって電力が供給される装置のケース内の改善された空気流（例えば、コンピュータ内部の空気流の改善）を提供することができる。この改善された空気流は、少なくともその一部は、不必要なケーブル布線（cabling）がなくなること及び（あるいは）可能な限り最も短いケーブル布線の使用によって結果的に生ずることが可能なものである。更にまた、ここではＡＣ電圧レベルに関しては１１５Ｖと２３０Ｖが主と���て使用されるとしたが、これらは公称電圧として考えることができ、勿論他の電圧（例えば１１０Ｖ、１２０Ｖ、２２０Ｖ、２４０Ｖ）が本発明で使用されてもよい。更にまた、（例えば、電気端子のショート（shorting-out）を防ぐのを助けるために及び（あるいは）ソケット内において埃や屑が集まるのを防ぐのを助けるために）１つあるいはそれ以上のソケットを１つあるいはそれ以上の取り外し可能なカバーによってカバーしてもよい。更にまた、電源の他のどの部分もＵＶ光に反応するようにできる。更にまた、ここで述べたどの段階も任意の所望の順序で実行されてよい。
【図面の簡単な説明】
【００５７】
【図１】本発明の実施例によるコンピュータ電源の正面図である（ここで電源は配線されたマザーボードケーブルとパワーケーブルの取り外し可能なプラグを受ける一体型ソケットと共に示されている）。
【図２】本発明の実施例によるコンピュータ電源の正面図である（ここで電源は取り外し可能なマザーボードケーブルを受けるマザーボードソケットとパワーケーブルの取り外し可能なプラグを受ける一体型パワーソケットと共に示されている）。
【図３】パーソナルコンピュータのパワーケーブルを終端させるために通常採用される従来の形状因子の実例を示す表である。
【図４】図２の電源の背面図である（後部換気ファン、電源入力部、電圧セレクタ及び主パワースイッチを示す）。
【図５】本発明の実施例によるコンピュータ電源の透視図である（この実施例のハウジングのクラムシェルの特性的形状を示す）。
【図６Ａ】図５の示された電源の底部の正面透視図である（その内部部品及び電源がどのように組み立てられるかを示す）。
【図６Ｂ】図５の示された電源の背面透視図である（その内部部品及び電源がどのように組み立てられるかを示す）。
【図６Ｃ】図５の示された電源の左側面透視図である（その内部部品及び電源がどのように組み立てられるかを示す）。
【図６Ｄ】図５の示された電源の右側面透視図である（その内部部品及び電源がどのように組み立てられるかを示す）。
【図６Ｅ】図５の示された電源の平面図である（その内部部品及び電源がどのように組み立てられるかを示す）。
【図７】図５及び６Ａ〜６Ｅの電源のそれぞれのソケットに電源ケーブルをプラグを差し込んで容易に接続できることを示す透視図である。
【図８】本発明の別の実施例によるコンピュータ電源の背面透視図である（ここで筐体の各種パネルの一部分が、紫外線放射に曝されるときに輝くように紫外線に反応する半透明材あるいは透き通った材料で形成されている）。
【図９Ａ】本発明の実施例による電源で使用するためのケーブル／プラグアセンブリを示す図である。
【図９Ｂ】本発明の実施例による電源で使用するためのケーブル／プラグアセンブリを示す図である。
【図１０Ａ】本発明の実施例によるプラスチック射出成型タイプのプラグ用のカバーを示す図である。
【図１０Ｂ】本発明の実施例によるプラスチック射出成型タイプのプラグ用のカバーを示す図である。
【図１０Ｃ】本発明の実施例によるプラスチック射出成型タイプのプラグ用のカバーを示す図である。
【図１０Ｄ】本発明の実施例によるプラスチック射出成型タイプのプラグ用のカバーを示す図である。
【図１０Ｅ】本発明の実施例によるプラスチック射出成型タイプのプラグ用のカバーを示す図である。
【図１０Ｆ】本発明の実施例によるプラスチック射出成型タイプのプラグ用のカバーを示す図である。
【図１０Ｇ】本発明の実施例によるプラスチック射出成型タイプのプラグ用のカバーを示す図である。
【図１０Ｈ】本発明の実施例によるプラスチック射出成型タイプのプラグ用のカバーを示す図である。
【図１１】本発明による電源の他の実施例を示す図である。
【図１２】本発明による電源の他の実施例を示す図である。
【符号の説明】
【００５８】
１１０    電源
１１２    前面パネル
１１４    グロメット孔
１１６    マザーボードケーブル
１１８    マザーボードプラグ
１２０、１２２、１２４    ソケット
１２５    取り付けネジ
１２６    １２ボルトパワーケーブル
１２８    補助パワーケーブル
１３０    周辺パワーケーブル
１３２、１３４、１３６    プラグ
【図１】
2006085299.tif 000003
【図２】
2006085299.tif 000004
【図４】
2006085299.tif 000005
【図１２】
2006085299.tif 000006
【図３】
2006085299.tif 000007
【図５】
2006085299.tif 000008
【図６Ａ】
2006085299.tif 000009
【図６Ｂ】
2006085299.tif 000010
【図６Ｃ】
2006085299.tif 000011
【図６Ｄ】
2006085299.tif 000012
【図６Ｅ】
2006085299.tif 000013
【図７】
2006085299.tif 000014
【図８】
2006085299.tif 000015
【図９Ａ】
2006085299.tif 000016
【図９Ｂ】
2006085299.tif 000017
【図１０Ａ】
2006085299.tif 000018
【図１０Ｂ】
2006085299.tif 000019
【図１０Ｃ】
2006085299.tif 000020
【図１０Ｄ】
2006085299.tif 000021
【図１０Ｅ】
2006085299.tif 000022
【図１０Ｆ】
2006085299.tif 000023
【図１０Ｇ】
2006085299.tif 000024
【図１０Ｈ】
2006085299.tif 000025
【図１１】
2006085299.tif 000026
【外国語明細書】
2006085299000001.pdf